(57)【要約】【課題】無線中継装置をＩＰ化に対応させ、その無線中継装置をＩＰ網を介して管理するようにする。【解決手段】無線中継管理システムにおいて、無線中継装置１０は、装置番号設定部１１と、インターフェース部１２とを備え、ＩＰ網３０に接続する。無線中継装置１０は、インターフェース部１２を介して識別番号をＩＰ網３０に出力する。管理装置４０は、無線中継装置１０の識別番号を記憶し、この識別番号に基づいて無線中継装置１０をＩＰ網３０を介して管理する。監視制御装置２０は、無線中継装置１０からの異常信号を受信すると、無線中継装置１０における放送信号の無線伝送を制御する。【選択図】図１
2009021801.tif 000002
【特許請求の範囲】
【請求項１】
マイクロ波帯の無線周波数を利用して放送信号を無線伝送する無線中継装置と、
前記無線中継装置を管理する管理装置と
を具備し、
前記無線中継装置は、予め割り当てられる装置固有の識別番号を設定する装置番号設定部と、ＩＰ（Internet Protocol）伝送プロトコルに沿った伝送フォーマットを利用することでＩＰ網と接続するインターフェース部とを備え、前記インターフェース部を介して前記識別番号を前記ＩＰ網へ出力し、
前記管理装置は、前記無線中継装置固有の識別番号を記憶する記憶部を備え、前記ＩＰ網を介して伝送される前記無線中継装置固有の識別番号を当該記憶部に記憶し、この記憶した識別番号に基づいて前記無線中継装置を管理することを特徴とする無線中継管理システム。
【請求項２】
ＩＰ伝送プロトコルに沿った伝送フォーマットを利用することで前記ＩＰ網と接続するインターフェース部を備え、前記無線中継装置及び前記ＩＰ網と接続し、前記無線中継装置における異常を監視し、異常を検出した場合、前記無線中継装置による無線伝送を制御し、かつ、異常を検出した旨の信号を前記管理装置に出力する監視制御装置をさらに具備し、
前記管理装置は、前記異常を検出した旨の信号を受け取ると、異常が発生した無線中継装置を当該無線中継装置の識別番号と関連付けて前記記憶部に記憶することを特徴とする請求項１に記載の無線中継管理システム。
【請求項３】
マイクロ波帯の無線周波数を利用して放送信号を無線伝送する無線中継装置において、
装置固有の識別番号を設定する装置番号設定部と、
前記装置番号設定部が設定する前記装置固有の識別番号をＩＰ伝送プロトコルに沿った伝送フォーマットに変換してＩＰ網に伝送するインターフェース部と
を具備することを特徴とする無線中継装置。
【請求項４】
マイクロ波帯の無線周波数を利用して放送信号を無線伝送する無線中継装置と、前記無線中継装置を管理する管理装置とを具備する無線中継管理システムに用いられ、
予め割り当てられる前記無線中継装置固有の識別番号を設定し、
ＩＰ（Internet Protocol）伝送プロトコルに沿った伝送フォーマットを利用することで前記識別番号をＩＰ網へ出力し、
前記ＩＰ網を介して得られた前記識別番号を記憶し、
前記識別番号に基づいて前記無線中継装置を管理することを特徴とする無線中継管理方法。
【発明の詳細な説明】
【技術分野】
【０００１】
本発明は、マイクロ波帯の無線周波数を利用して地上デジタル放送の放送信号を無線伝送する無線中継装置に係り、特にＩＰ（Internet Protocol）化に対応した無線中継装置と、その無線中継装置を管理する無線中継管理システム及び、無線中継管理方法に関する。
【背景技術】
【０００２】
従来、ＴＴＬ（Transmitter to Transmitter Link）装置やＳＴＬ（Studio to Transmitter Link）装置等の無線中継装置の管理は、無線中継装置と監視制御装置とを接点インターフェースで接続し、監視制御装置から演奏所等へ、電話回線あるいは戻し回線で情報を返すことにより行っていた。昨今、ＩＰ網が様々な分野で導入され、無線中継装置の管理のＩＰ化対応の要望も出てくることが考えられる。
【０００３】
しかしながら、従来の無線中継装置は、ＩＰ化に対応していないため、無線中継装置の構造をＩＰ化に対応したものに整備する必要がある。
【０００４】
なお、中継送信所に被監視制御装置を配置してインターネット通信網に接続することにより、インターネット通信網を介して監視制御を行う例もある（例えば、特許文献１参照。）。しかし、本特許文献では、無線中継装置に直接インターネット通信網が接続されておらず、無線中継装置そのものがＩＰ化に対応しているわけではない。
【特許文献１】特開２００３−３３３０２６号公報
【発明の開示】
【発明が解決しようとする課題】
【０００５】
以上のように、従来の無線中継装置は、ＩＰ化に対応していなかった。
【０００６】
そこで、本発明の目的は、ＩＰ化に対応した無線中継装置と、その無線中継装置を管理する無線中継管理システム及び無線中継管理方法を提供することにある。
【課題を解決するための手段】
【０００７】
上記目的を達成するため、本発明に係る無線中継管理システムは、マイクロ波帯の無線周波数を利用して放送信号を無線伝送する無線中継装置と、前記無線中継装置を管理する管理装置とを具備し、前記無線中継装置は、予め割り当てられる装置固有の識別番号を設定する装置番号設定部と、ＩＰ（Internet Protocol）伝送プロトコルに沿った伝送フォーマットを利用することでＩＰ網と接続するインターフェース部とを備え、前記インターフェース部を介して前記識別番号を前記ＩＰ網へ出力し、前記管理装置は、前記無線中継装置固有の識別番号を記憶する記憶部を備え、前記ＩＰ網を介して伝送される前記無線中継装置固有の識別番号を当該記憶部に記憶し、この記憶した識別番号に基づいて前記無線中継装置を管理する。
【０００８】
また、本発明に係る無線中継管理方法は、マイクロ波帯の無線周波数を利用して放送信号を無線伝送する無線中継装置と、前記無線中継装置を管理する管理装置とを具備する無線中継管理システムに用いられ、予め割り当てられる前記無線中継装置固有の識別番号を設定し、ＩＰ（Internet Protocol）伝送プロトコルに沿った伝送フォーマットを利用することで前記識別番号をＩＰ網へ出力し、前記ＩＰ網を介して得られた前記識別番号を記憶し、前記識別番号に基づいて前記無線中継装置を管理する。
【０００９】
上記構成による無線中継管理装置及び無線中継管理方法では、無線中継装置に装置番号設定部と、インターフェース部とを具備させ、インターフェース部を介して識別番号をＩＰ網に出力するようにしている。そして、管理装置は、無線中継装置からの識別番号を記憶し、この識別番号に基づいて無線中継装置を管理する。これにより、無線中継装置は、ＩＰ化に対応することが可能となる。また、無線中継管理システムは、ＩＰ化に対応した無線中継装置を管理することが可能となる。
【発明の効果】
【００１０】
以上のように本発明によれば、ＩＰ化に対応した無線中継装置と、その無線中継装置を管理する無線中継管理システム及び無線中継管理方法を提供することが可能になる。
【発明を実施するための最良の形態】
【００１１】
以下、図面を参照しながら本発明の実施の形態について詳細に説明する。
【００１２】
図１は、本発明の一実施形態に係る無線中継管理システムの構成を示すブロック図である。図１に示す無線中継装置１０は、マイクロ波帯の無線周波数を利用して地上デジタル放送の放送信号を無線伝送する。無線中継管理システムにおいて、無線中継装置１０は、監視制御装置２０とＩＰ網３０とに接続される。また、監視制御装置２０も同様にＩＰ網３０に接続されている。管理装置４０は、ＩＰ網３０に接続し、無線中継装置１０を管理している。
【００１３】
無線中継装置１０は、予め割り当てられる装置固有の識別番号を設定する装置番号設定部１１と、この識別番号をＩＰ伝送プロトコルに沿った伝送フォーマットのペイロードに乗せて出力するインターフェース部１２とを備えている。そして、無線中継装置１０は、装置番号設定部１１で設定される識別番号をＩＰ網３０へ出力する。このとき、インターフェース部には、ＩＰ網３０と接続できるようシリアルポートやＤサブコネクタ等の物理的インターフェースが装着される。
【００１４】
また、無線中継装置１０は、無線周波数の伝送等において異常が発生した場合、異常信号をインターフェース部１２から監視制御装置２０に送出する。
【００１５】
監視制御装置２０は、ＩＰ網と接続するインターフェース部２１を備える。監視制御装置２０は、無線中継装置１０からの異常信号を監視し、検出した場合、無線中継装置１０による無線伝送を異常の生じた系から正常な系に切り替え、かつ、異常を検出した旨の信号を管理装置４０に出力する。
【００１６】
管理装置４０は、無線中継装置１０の識別番号を記憶する記憶部４１を備え、無線中継装置１０からの識別番号をＩＰ網３０を介して受け取ると、記憶部４１へその識別番号を記憶する。管理装置４０は、この識別番号に基づいて、例えば無線中継装置のメンテナンス等の保守作業の際に、無線中継装置１０における処理を行い、無線中継装置１０を管理する。
【００１７】
また、管理装置４０は、監視制御装置２０から異常を検出した旨の信号を受け取ると、異常が発生した無線中継装置をその無線中継装置の識別番号と関連付けて記憶部４１に記憶する。
【００１８】
なお、図１では、ＩＰ網３０に１つの無線中継装置１０が接続された無線中継管理システムが示されているが、図２のように、複数の無線中継装置１０−１〜１０−ｎがＩＰ網３０に接続している場合でも同様に実施可能である。
【００１９】
以上のように、上記一実施形態では、無線中継装置１０は、装置番号設定部１１と、インターフェース部１２とを備え、ＩＰ網３０に接続している。そして、無線中継装置１０は、識別番号をＩＰ網３０に出力する。管理装置４０は、無線中継装置１０の識別番号を記憶し、この識別番号に基づいて無線中継装置１０をＩＰ網３０を介して管理する。
【００２０】
したがって、本実施形態の構成によれば、無線中継装置１０は、ＩＰ化に対応することが可能となる。また、無線中継管理システムは、ＩＰ網３０を介して管理装置４０により無線中継装置１０を管理することが可能となる。
【００２１】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２２】
【図１】本発明に係る無線中継管理システムの一実施形態の構成を示すブロック図。
【図２】上記一実施形態のＩＰ網に複数の無線中継装置が接続されている場合の無線中継管理システムの構成を示すブロック図。
【符号の説明】
【００２３】
１０，１０−１〜１０−ｎ…無線中継装置、１１…装置番号設定部、１２，２１…インターフェース部、２０，２０−１〜２０−ｎ…監視制御装置、３０…ＩＰ網、４０…管理装置、４１…記憶部。
【図１】
2009021801.tif 000003
【図２】
2009021801.tif 000004